(57)【要約】【課題】第１の電極（例えば維持電極）を一定の電位に固定しつつインタレース表示を行うことができるプラズマディスプレイ装置を提供することを課題とする。【解決手段】第１の基板に設けられる複数の第１の電極（Ｘ１〜Ｘ４）と、前記第１の基板に設けられ、前記複数の第１の電極との間で放電を発生させるための複数の第２の電極（Ｙ１〜Ｙ４）と、第２の基板において前記第１及び第２の電極に交差するように設けられる複数の第３の電極（Ａ１，Ａ２）と、前記複数の第１及び第２の電極間に設けられ、前記第１及び第２の電極間の放電を制御するための複数の第４の電極（Ｚｏ，Ｚｅ）とを有し、前記複数の第１の電極は、一定の電位に固定されていることを特徴とするプラズマディスプレイ装置が提供される。【選択図】図１
2008107457.tif 000002
【特許請求の範囲】
【請求項１】
第１の基板に設けられる複数の第１の電極と、
前記第１の基板に設けられ、前記複数の第１の電極との間で放電を発生させるための複数の第２の電極と、
第２の基板において前記第１及び第２の電極に交差するように設けられる複数の第３の電極と、
前記複数の第１及び第２の電極間に設けられ、前記第１及び第２の電極間の放電を制御するための複数の第４の電極とを有し、
前記複数の第１の電極は、一定の電位に固定されていることを特徴とするプラズマディスプレイ装置。
【請求項２】
さらに、奇数番目の第４の電極及び偶数番目の第４の電極に異なる電圧を印加することにより奇数番目のライン及び偶数番目のラインを交互に表示してインタレース表示を行う第４の電極駆動回路を有することを特徴とする請求項１記載のプラズマディスプレイ装置。
【請求項３】
さらに、放電のために前記第２の電極に第１の電圧パルスを印加する第２の電極駆動回路と、
前記第１及び第２の電極間の前記第４の電極に前記第１の電極と同一の電圧を印加することによりその両側の前記第１及び第２の電極間の放電を発生させ、前記第１及び第２の電極間の前記第４の電極に前記第２の電極の第１の電圧パルスと同極性の第２の電圧パルスを印加することによりその両側の前記第１及び第２の電極間の放電を抑制する第４の電極駆動回路を有することを特徴とする請求項１記載のプラズマディスプレイ装置。
【請求項４】
さらに、放電のために前記第２の電極に第１の電圧パルスを印加する第２の電極駆動回路と、
前記第１及び第２の電極間の前記第４の電極に前記第２の電極の第１の電圧パルスと同極性の第３の電圧パルスを印加した後に前記第１の電極と同一の電圧を印加することによりその両側の前記第１及び第２の電極間の放電を発生させ、前記第１及び第２の電極間の前記第４の電極に前記第２の電極の第１の電圧パルスと同極性の第２の電圧パルスを印加することによりその両側の前記第１及び第２の電極間の放電を抑制する第４の電極駆動回路を有することを特徴とする請求項１記載のプラズマディスプレイ装置。
【請求項５】
前記第３の電圧パルスは、前記第１の電圧パルスに対して、パルス幅が狭いことを特徴とする請求項４記載のプラズマディスプレイ装置。
【請求項６】
前記第３の電圧パルスは、前記第２の電圧パルスに対して、電圧が高いことを特徴とする請求項４又は５記載のプラズマディスプレイ装置。
【請求項７】
さらに、放電のために前記第２の電極に第１の電圧パルスを印加する第２の電極駆動回路と、
前記第１及び第２の電極間の前記第４の電極に前記第１の電極と同一の電圧を印加した後に前記第２の電極の第１の電圧パルスと同極性の電圧を印加することによりその両側の前記第１及び第２の電極間の放電を発生させ、前記第１及び第２の電極間の前記第４の電極に前記第２の電極の第１の電圧パルスと同極性の第２の電圧パルスを印加することによりその両側の前記第１及び第２の電極間の放電を抑制する第４の電極駆動回路を有することを特徴とする請求項１記載のプラズマディスプレイ装置。
【請求項８】
前記第４の電極駆動回路は、前記第４の電極に前記第１の電極と同一の電圧を印加する前に前記第１の電圧パルスと同極性の電圧パルスを印加することによりその両側の前記第１及び第２の電極間の放電を発生させることを特徴とする請求項７記載のプラズマディスプレイ装置。
【請求項９】
前記第２の電圧パルスは、前記第１の電圧パルスに対して、同一のパルス幅であることを特徴とする請求項３〜８のいずれか１項に記載のプラズマディスプレイ装置。
【請求項１０】
前記第２の電圧パルスは、前記第１の電圧パルスに対して、電圧が半分であることを特徴とする請求項３〜９のいずれか１項に記載のプラズマディスプレイ装置。
【発明の詳細な説明】
【技術分野】
【０００１】
本発明は、プラズマディスプレイ装置に関する。
【背景技術】
【０００２】
下記の特許文献１には、維持（Ｘ）電極を接地電圧でバイアスした状態で、走査（Ｙ）電極にリセット機能、アドレス機能、及び維持（サステイン）放電機能を有する波形を印加するプラズマ表示パネルの駆動方法が記載されている。このようにすると、維持電極を駆動するボード及び接地電圧を供給するためのスイッチを除去することができ、これにより駆動ボード費用を節減することができる。
【０００３】
【特許文献１】特開２００５−３３８８３９号公報
【発明の開示】
【発明が解決しようとする課題】
【０００４】
しかし、特許文献１では、インタレース表示を行う場合について考慮されていない。維持電極を接地電圧でバイアスし、走査電極に電圧波形を印加するため、インタレース表示ができない。
【０００５】
本発明の目的は、第１の電極（例えば維持電極）を一定の電位に固定しつつインタレース表示を行うことができるプラズマディスプレイ装置を提供することである。
【課題を解決するための手段】
【０００６】
本発明のプラズマディスプレイ装置は、第１の基板に設けられる複数の第１の電極と、前記第１の基板に設けられ、前記複数の第１の電極との間で放電を発生させるための複数の第２の電極と、第２の基板において前記第１及び第２の電極に交差するように設けられる複数の第３の電極と、前記複数の第１及び第２の電極間に設けられ、前記第１及び第２の電極間の放電を制御するための複数の第４の電極とを有し、前記複数の第１の電極は、一定の電位に固定されていることを特徴とする。
【発明の効果】
【０００７】
第４の電極を設けることにより、第１の電極を一定の電位に固定しつつインタレース表示を行うことができる。第１の電極を一定の電位に固定することにより、第１の電極を駆動するための第１の電極駆動回路を除去することができ、コストを低減することができる。また、インタレース表示を行うことにより、高精細な画像を表示することができる。
【発明を実施するための最良の形態】
【０００８】
図１２はＡＬＩＳ（Alternate Lighting of Surfaces）方式のプラズマディスプレイパネルの構成例を示す平面図であり、図１３はその断面図である。Ｘ（維持）電極Ｘ１，Ｘ２，Ｘ３，・・・及びＹ（走査）電極Ｙ１，Ｙ２，Ｙ３，・・・は、前面ガラス基板１上で交互に配置されている。背面ガラス基板２上には、アドレス電極Ａｊ及び蛍光体１８が設けられている。
【０００９】
図１４は、プラズマディスプレイパネルのインタレース表示を示す図である。インタレース表示は、奇数フィールドＦｏ及び偶数フィールドＦｅを交互に表示する。奇数フィールドＦｏでは、前面ガラス基板１及び背面ガラス基板２を有するプラズマディスプレイパネルは、奇数ラインＬ１，Ｌ３，Ｌ５，Ｌ７，・・・を１／６０秒毎に表示する。偶数フィールドＦｅでは、前面ガラス基板１及び背面ガラス基板２を有するプラズマディスプレイパネルは、偶数ラインＬ２，Ｌ４，Ｌ６，Ｌ８，・・・を１／６０秒毎に表示する。例えば、ラインＬ１はＸ電極Ｘ１及びＹ電極Ｙ１間の表示セルの放電ＤＳにより表示され、ラインＬ２はＹ電極Ｙ１及びＸ電極Ｘ２間の表示セルの放電ＤＳにより表示され、ラインＬ３はＸ電極Ｘ２及びＹ電極Ｙ２間の表示セルの放電ＤＳにより表示される。
【００１０】
図１５は、奇数フィールドＦｏのＸ電極及びＹ電極の電圧波形例を示す図である。奇数フィールドＦｏは、複数のサブフィールドからなる。各サブフィールドは、リセット期間Ｔｒ、アドレス期間Ｔａ及び維持（サステイン）放電期間Ｔｓを有する。リセット期間Ｔｒでは、表示セルのリセットを行う。アドレス期間Ｔａでは、発光させる表示セルを選択する。維持放電期間Ｔｓでは、選択された表示セルが維持放電パルス毎の放電ＤＳにより発光する。Ｘ電極Ｘ１及びＹ電極Ｙ１間の表示セルはラインＬ１を構成し、Ｘ電極Ｘ２及びＹ電極Ｙ２間の表示セルはラインＬ３を構成する。奇数ラインＬ１，Ｌ３等の表示セルでは、維持放電パルスにより高電圧が印加され、放電ＤＳが発生し、蛍光体１８により発光する。Ｙ電極Ｙ１及びＸ電極Ｘ２間の表示セルはラインＬ２を構成する。ラインＬ２では、Ｙ電極Ｙ１及びＸ電極Ｘ２に同相の維持放電パルスが印加されるため、Ｙ電極Ｙ１及びＸ電極Ｘ２間の電圧はほぼ０Ｖであり、放電及び発光が生じない。以上のように、奇数フィールドＦｏでは、奇数ラインＬ１，Ｌ３等のみ発光可能であり、偶数ラインＬ２，Ｌ４等は発光しない。
【００１１】
偶数フィールドＦｅでは、図１５の奇数番目のＸ電極Ｘ１，Ｘ３等と偶数番目のＸ電極Ｘ２，Ｘ４等の電圧波形を入れ替えることにより、偶数ラインＬ２，Ｌ４等のみ発光可能であり、奇数ラインＬ１，Ｌ３等は発光しない。
【００１２】
以上のように、ＡＬＩＳ方式では、Ｘ電極及びＹ電極をＸ１，Ｙ１，Ｘ２，Ｙ２というように交互に並べ、１／６０秒毎に、偶数ライン及び奇数ラインを交互に光らせる。そのため、奇数ラインを光らせる場合は、維持放電期間Ｔｓ時の駆動波形は、奇数番目のＸ電極Ｘ１等及び偶数番目のＹ電極Ｙ２等に同じ駆動波形を印加し、偶数番目のＸ電極Ｘ２等及び奇数番目のＹ電極Ｙ１等に同じ駆動波形を印加する。こうすることで、電極Ｘ２及びＹ１間、電極Ｘ３及びＹ２間は放電せずに、電極Ｘ１及びＹ１間、電極Ｘ２及びＹ２間のみ放電させることができる。偶数ラインを光らせる場合は、奇数番目のＸ電極Ｘ１等と偶数番目のＸ電極Ｘ２等の駆動波形を入れ替えることで同様の動作を行うことができる。このようにして、ＡＬＩＳ方式ではインタレース表示を可能にし、高精細化を図ることができる。
【００１３】
図１６は、Ｘ電極をグランド電位に固定したプラズマディスプレイ装置の構成例を示す図である。制御回路７は、Ｙ電極駆動回路５及びアドレス電極駆動回路６を制御する。複数のＸ電極Ｘ１，Ｘ２，・・・は、グランド電位に固定されている。以下、Ｘ電極Ｘ１，Ｘ２，・・・の各々を又はそれらの総称を、Ｘ電極Ｘｉといい、ｉは添え字を意味する。Ｙ電極駆動回路５は、複数のＹ電極Ｙ１，Ｙ２，・・・に所定の電圧を供給する。以下、Ｙ電極Ｙ１，Ｙ２，・・・の各々を又はそれらの総称を、Ｙ電極Ｙｉといい、ｉは添え字を意味する。アドレス電極駆動回路６は、複数のアドレス電極Ａ１，Ａ２，・・・に所定の電圧を供給する。以下、アドレス電極Ａ１，Ａ２，・・・の各々を又はそれらの総称を、アドレス電極Ａｊといい、ｊは添え字を意味する。Ｘ電極Ｘｉに電圧を供給するためのＸ電極駆動回路が必要ないため、コストを低減することができる。
【００１４】
プラズマディスプレイパネル３では、Ｙ電極Ｙｉ及びＸ電極Ｘｉが水平方向に並列に延びる行を形成し、アドレス電極Ａｊが垂直方向に延びる列を形成する。Ｙ電極Ｙｉ及びＸ電極Ｘｉは、垂直方向に交互に配置される。Ｙ電極Ｙｉ及びアドレス電極Ａｊは、ｉ行ｊ列の２次元行列を形成する。表示セルＣｉｊは、Ｙ電極Ｙｉ及びアドレス電極Ａｊの交点並びにそれに対応して隣接するＸ電極Ｘｉにより形成される。この表示セルＣｉｊが画素に対応し、プラズマディスプレイパネル３は２次元画像を表示することができる。
【００１５】
図１７は、図１６のプラズマディスプレイ装置のリセット期間Ｔｒ、アドレス期間Ｔａ及び維持放電期間Ｔｓの動作例を説明するためのタイミングチャートである。すべてのＸ電極Ｘｉは、グランド電位ＧＮＤに固定されている。
【００１６】
リセット期間Ｔｒでは、Ｙ電極Ｙｉに所定の電圧を印加して、表示セルＣｉｊの初期化を行う。
【００１７】
アドレス期間Ｔａでは、Ｙ電極Ｙ１，Ｙ２，・・・に対してスキャンパルスを順次スキャンして印加し、そのスキャンパルスに対応してアドレスパルスをアドレス電極Ａｊに印加することにより表示画素を選択する。Ｙ電極Ｙｉのスキャンパルスに対応してアドレス電極Ａｊのアドレスパルスが生成されれば、そのＹ電極Ｙｉ及びＸ電極Ｘｉの表示セルが選択される。Ｙ電極Ｙｉのスキャンパルスに対応してアドレス電極Ａｊのアドレスパルスが生成されなければ、そのＹ電極Ｙｉ及びＸ電極Ｘｉの表示セルが選択されない。スキャンパルスに対応してアドレスパルスが生成されると、アドレス電極Ａｊ及びＹ電極Ｙｉ間のアドレス放電が起こり、それを種火としてＸ電極Ｘｉ及びＹ電極Ｙｉ間で放電が起こり、Ｘ電極Ｘｉに負電荷が蓄積され、Ｙ電極Ｙｉに正電荷が蓄積される。
【００１８】
維持放電期間Ｔｓでは、Ｙ電極Ｙｉに維持放電パルスが印加され、選択された表示セルのＸ電極Ｘｉ及びＹ電極Ｙｉ間で維持放電を行い、発光を行う。
【００１９】
Ｘ電極Ｘｉをグランド電位ＧＮＤに固定し、Ｙ電極Ｙｉのみに駆動波形を印加して駆動を行うため、偶数ラインを光らせる場合も、奇数ラインが光ってしまい、インタレース表示を行うことができない。そこで、電極Ｙ１及びＸ２間、電極Ｙ２及びＸ３間の間隔を広くしてその電極間での放電が生じないようにし、電極Ｘ１及びＹ１間、電極Ｘ２及びＹ２間等でのみ放電が生じるようにする。この場合、解像度は半分になる。高精細化を行うためには、電極数を増やす必要があり、Ｙ電極駆動回路５内のスキャンＩＣの個数増加等により、コストアップしてしまう。
【００２０】
以下、Ｘ電極をグランド電位に固定しつつ、インタレース表示が可能なプラズマディスプレイ装置を示す。
【００２１】
（第１の実施形態）
図１は、本発明の第１の実施形態によるプラズマディスプレイ装置の構成例を示す図である。制御回路７は、Ｙ電極駆動回路５、Ｚ電極駆動回路４及びアドレス電極駆動回路６を制御する。複数のＸ電極Ｘ１，Ｘ２，・・・は、グランド電位に固定されている。以下、Ｘ電極Ｘ１，Ｘ２，・・・の各々を又はそれらの総称を、Ｘ電極Ｘｉといい、ｉは添え字を意味する。Ｙ電極駆動回路５は、複数のＹ電極Ｙ１，Ｙ２，・・・に所定の電圧を供給する。以下、Ｙ電極Ｙ１，Ｙ２，・・・の各々を又はそれらの総称を、Ｙ電極Ｙｉといい、ｉは添え字を意味する。Ｚ電極駆動回路４は、奇数番目のＺ電極Ｚｏ及び偶数番目のＺ電極Ｚｅに所定の電圧を供給する。アドレス電極駆動回路６は、複数のアドレス電極Ａ１，Ａ２，・・・に所定の電圧を供給する。以下、アドレス電極Ａ１，Ａ２，・・・の各々を又はそれらの総称を、アドレス電極Ａｊといい、ｊは添え字を意味する。
【００２２】
Ｘ電極（第１の電極）Ｘｉ及びＹ電極（第２の電極）Ｙｉは、維持放電を発生させるための電極である。アドレス電極（第３の電極）Ａｊは、Ｘ電極Ｘｉ及びＹ電極Ｙｉに交差するように設けられる。Ｚ電極（第４の電極）Ｚｏ，Ｚｅは、Ｘ電極Ｘｉ及びＹ電極Ｙｉ間に設けられ、Ｘ電極Ｘｉ及びＹ電極Ｙｉ間の放電を制御するための電極である。
【００２３】
プラズマディスプレイパネル３では、Ｙ電極Ｙｉ及びＸ電極Ｘｉが水平方向に並列に延びる行を形成し、アドレス電極Ａｊが垂直方向に延びる列を形成する。Ｙ電極Ｙｉ及びＸ電極Ｘｉは、垂直方向に交互に配置される。Ｙ電極Ｙｉ及びアドレス電極Ａｊは、ｉ行ｊ列の２次元行列を形成する。表示セルＣｉｊは、Ｙ電極Ｙｉ及びアドレス電極Ａｊの交点並びにそれに対応して隣接するＸ電極Ｘｉにより形成される。この表示セルＣｉｊが画素に対応し、プラズマディスプレイパネル３は２次元画像を表示することができる。
【００２４】
図２はプラズマディスプレイパネル３の構造例を示す分解斜視図であり、図３はＸ電極、Ｙ電極及びＺ電極の平面図である。Ｘ電極Ｘｉ、Ｙ電極Ｙｉ及びＺ電極Ｚｏ，Ｚｅは、前面ガラス基板１上に形成されている。Ｘ電極Ｘｉは、バス電極１２ａ及び透明電極１２ｂを有する。Ｙ電極Ｙｉは、バス電極１１ａ及び透明電極１１ｂを有する。Ｚ電極Ｚｏ，Ｚｅは、バス電極２１ａ及び透明電極２１ｂを有する。その上には、放電空間に対し絶縁するための誘電体層１３が被着されている。さらにその上には、ＭｇＯ（酸化マグネシウム）保護層１４が被着されている。一方、アドレス電極Ａｊは、前面ガラス基板１と対向して配置された背面ガラス基板２上に形成される。その上には、誘電体層１６が被着される。更にその上には、蛍光体１８〜２０が被着されている。隔壁１７の内面には、赤、青、緑色の蛍光体１８〜２０がストライプ状に各色毎に配列、塗付されている。Ｘ電極Ｘｉ及びＹ電極Ｙｉの間の放電によって蛍光体１８〜２０を励起して各色が発光する。前面ガラス基板１及び背面ガラス基板２との間の放電空間には、Ｎｅ＋Ｘｅペニングガス等が封入されている。
【００２５】
Ｘ電極Ｘ１及びＹ電極Ｙ１間の維持放電により、その表示セルが発光する。Ｚ電極Ｚｏは、Ｘ電極Ｘ１及びＹ電極Ｙ１間の維持放電を制御するための電極である。
【００２６】
図４は本実施形態のプラズマディスプレイパネル３の構成例を示す平面図であり、図５はその断面図である。前面ガラス基板１上で、Ｘ電極Ｘ１，Ｘ２，Ｘ３，・・・及びＹ電極Ｙ１，Ｙ２，Ｙ３，・・・は交互に配置されており、Ｚ電極Ｚｏ，ＺｅはＸ電極及びＹ電極間に設けられる。奇数番目のＺ電極Ｚｏは、Ｘ電極Ｘｉ及びＹ電極Ｙｉ間に設けられ、奇数ラインの表示を制御する。偶数番目のＺ電極Ｚｅは、Ｙ電極Ｙｉ及びＸ電極Ｘｉ＋１間に設けられ、偶数ラインの表示を制御する。すなわち、前面ガラス基板１上では、Ｘ電極Ｘ１、Ｚ電極Ｚｏ、Ｙ電極Ｙ１、Ｚ電極Ｚｅ、Ｘ電極Ｘ２、Ｚ電極Ｚｏ、Ｙ電極Ｙ２、Ｚ電極Ｚｅ、Ｘ電極Ｘ３、Ｚ電極Ｚｏ、Ｙ電極Ｙ３、・・・の順番で並ぶ。背面ガラス基板２上には、アドレス電極Ａｊ及び蛍光体１８が設けられている。
【００２７】
図６は、本実施形態のプラズマディスプレイ装置のリセット期間Ｔｒ、アドレス期間Ｔａ及び維持放電期間Ｔｓの動作例を説明するためのタイミングチャートである。すべてのＸ電極Ｘｉは、グランド電位ＧＮＤに固定されている。ここでは、Ｘ電極Ｘｉ及びＹ電極Ｙｉ間の奇数ラインの表示を行う奇数フィールドの例を示す。
【００２８】
リセット期間Ｔｒでは、Ｙ電極Ｙｉに所定の電圧を印加して、表示セルの初期化を行う。
【００２９】
アドレス期間Ｔａでは、Ｙ電極Ｙ１，Ｙ２，・・・に対して負のスキャンパルスを順次スキャンして印加し、そのスキャンパルスに対応してアドレスパルスをアドレス電極Ａｊに印加することにより表示画素を選択する。奇数ラインを表示する際には、奇数番目のＺ電極Ｚｏにグランド電位ＧＮＤを印加し、偶数番目のＺ電極Ｚｅに負電圧−Ｖｓを印加する。Ｙ電極Ｙｉのスキャンパルスに対応してアドレス電極Ａｊのアドレスパルスが生成されれば、そのＹ電極Ｙｉ及びＸ電極Ｘｉの表示セルが選択される。Ｙ電極Ｙｉのスキャンパルスに対応してアドレス電極Ａｊのアドレスパルスが生成されなければ、そのＹ電極Ｙｉ及びＸ電極Ｘｉの表示セルが選択されない。スキャンパルスに対応してアドレスパルスが生成されると、アドレス電極Ａｊ及びＹ電極Ｙｉ間のアドレス放電が起こり、Ｚ電極Ｚｏがグランド電位ＧＮＤであるので、それを種火としてＸ電極Ｘｉ及びＹ電極Ｙｉ間で放電が起こり、Ｘ電極Ｘｉに負電荷が蓄積され、Ｙ電極Ｙｉに正電荷が蓄積される。これにより、Ｘ電極Ｘｉ及びＹ電極Ｙｉ間の表示セルにより構成される奇数ラインの表示選択が可能になる。これに対し、Ｚ電極Ｚｅは負電圧−Ｖｓが印加されているので、Ｙ電極Ｙｉ及びＸ電極Ｘｉ＋１間では放電が生じない。これにより、Ｙ電極Ｙｉ及びＸ電極Ｘｉ＋１間の表示セルにより構成される偶数ラインは表示選択されない。
【００３０】
維持放電期間Ｔｓでは、Ｙ電極Ｙｉに維持放電パルスが印加され、Ｚ電極Ｚｏにグランド電位ＧＮＤが印加され、Ｚ電極Ｚｅに放電抑制パルスが印加され、選択された表示セルのＸ電極Ｘｉ及びＹ電極Ｙｉ間で維持放電を行い、発光を行う。Ｚ電極Ｚｏにグランド電位を印加することにより、Ｘ電極Ｘｉ及びＹ電極Ｙｉ間の表示セルにより構成される奇数ラインが放電により表示される。これに対し、Ｚ電極Ｚｅに放電抑制パルスを印加することにより、Ｙ電極Ｙｉ及びＸ電極Ｘｉ＋１間の表示セルにより構成される偶数ラインは放電及び表示が行われない。
【００３１】
図７は上記の維持放電期間Ｔｓの電圧波形の拡大図であり、図８は図５に対応するプラズマディスプレイパネルの放電ＤＳを示す断面図である。すべてのＸ電極Ｘ１，Ｘ２，・・・は、グランド電位に固定されている。
【００３２】
時刻ｔ１では、Ｙ電極Ｙ１に電圧２Ｖｓが印加され、Ｚ電極Ｚｏにグランド電位ＧＮＤが印加されるため、Ｙ電極Ｙ１及びＺ電極Ｚｏ間に電圧２Ｖｓが印加され、Ｙ電極Ｙ１及びＺ電極Ｚｏ間に放電が生じる。その放電を種火として、Ｙ電極Ｙ１及びＸ電極Ｘ１間に維持放電ＤＳが生じる。これにより、Ｘ電極Ｘ１及びＹ電極Ｙ１間の表示セルにより構成される奇数ラインが表示される。
【００３３】
これに対し、Ｚ電極Ｚｅには電圧Ｖｓが印加されるため、Ｙ電極Ｙ１及びＺ電極Ｚｅ間に電圧Ｖｓしか印加されないので、Ｙ電極Ｙ１及びＺ電極Ｚｏ間に放電が生じない。その結果、Ｙ電極Ｙ１及びＸ電極Ｘ２間に維持放電ＤＳが生じない。これにより、Ｙ電極Ｙ１及びＸ電極Ｘ２間の表示セルにより構成される偶数ラインは表示されない。
【００３４】
次に、時刻ｔ２では、Ｙ電極Ｙ１に負電圧−２Ｖｓが印加され、Ｚ電極Ｚｏのグランド電位ＧＮＤは維持されるため、Ｙ電極Ｙ１及びＺ電極Ｚｏ間に電圧２Ｖｓが印加されるので、Ｙ電極Ｙ１及びＺ電極Ｚｏ間に放電が生じる。その放電を種火として、Ｙ電極Ｙ１及びＸ電極Ｘ１間に維持放電ＤＳが生じる。これにより、Ｘ電極Ｘ１及びＹ電極Ｙ１間の表示セルにより構成される奇数ラインが表示される。
【００３５】
これに対し、Ｚ電極Ｚｅには負電圧−Ｖｓが印加されるため、Ｙ電極Ｙ１及びＺ電極Ｚｅ間に電圧Ｖｓしか印加されないので、Ｙ電極Ｙ１及びＺ電極Ｚｏ間に放電が生じない。その結果、Ｙ電極Ｙ１及びＸ電極Ｘ２間に維持放電ＤＳが生じない。これにより、Ｙ電極Ｙ１及びＸ電極Ｘ２間の表示セルにより構成される偶数ラインは表示されない。
以上の電圧波形を１周期として、上記の動作を繰り返す。
【００３６】
Ｙ電極Ｙｉ（例えばＹ１）には、維持放電のために電圧２Ｖｓ及び−２Ｖｓの第１の電圧パルスを印加する。Ｚ電極Ｚｏには、Ｘ電極Ｘｉと同一の電圧（例えばグランド電位ＧＮＤ）を印加することによりその両側のＸ電極Ｘｉ（例えばＸ１）及びＹ電極Ｙｉ（例えばＹ１）間の放電を発生させる。これに対し、Ｚ電極Ｚｅには、Ｙ電極Ｙｉ（例えばＹ１）の第１の電圧パルスと同極性の第２の電圧パルスを印加することによりその両側のＹ電極Ｙｉ（例えばＹ１）及びＸ電極Ｘｉ＋１（例えばＸ２）間の放電を抑制する。
【００３７】
Ｚ電極Ｚｅの第２の電圧パルスは、Ｙ電極Ｙｉの第１の電圧パルスに対して、同一のパルス幅であり、電圧が半分である。
【００３８】
本実施形態は、図１４を参照しながら説明したインタレース表示を行うことができる。上記では、奇数フィールドＦｏにおいて奇数ラインＬ１，Ｌ３，・・・を表示する場合を例に説明した。偶数フィールドＦｅにおいて偶数ラインＬ２，Ｌ４，・・・を表示する場合には、Ｚ電極Ｚｏの電圧とＺ電極Ｚｅの電圧を入れ替えればよい。
【００３９】
以上のように、本実施形態によれば、Ｚ電極を設けることにより、Ｘ電極を一定の電位（例えばグランド電位）に固定しつつインタレース表示を行うことができる。Ｘ電極を一定の電位に固定することにより、Ｘ電極を駆動するためのＸ電極駆動回路を除去することができ、コストを低減することができる。また、インタレース表示を行うことにより、Ｙ電極数及びそれを駆動するためのスキャンＩＣを増やすことなく高精細な画像を表示することができる。
【００４０】
（第２の実施形態）
図９は、図７に対応し、本発明の第２の実施形態による維持放電期間Ｔｓの電圧波形の拡大図である。以下、本実施形態が第１の実施形態と異なる点を説明する。第１の実施形態（図７）と同様に、すべてのＸ電極Ｘ１，Ｘ２，・・・は、グランド電位に固定されている。
【００４１】
時刻ｔ１では、Ｙ電極Ｙ１及びＺ電極Ｚｏに電圧２Ｖｓが印加され、Ｚ電極Ｚｅに電圧Ｖｓが印加される。Ｚ電極Ｚｏ及びＸ電極Ｘ１間に電圧２Ｖｓが印加されるので、Ｚ電極Ｚｏ及びＸ電極Ｘ１間に放電が生じる。この放電は、後の時刻ｔ２の維持放電の種火放電となる。また、Ｚ電極Ｚｏ及びＹ電極Ｙ１間の電位差は０Ｖであるので、Ｚ電極Ｚｏ及びＹ電極Ｙ１間に放電が生じない。
【００４２】
これに対し、Ｚ電極Ｚｅには電圧Ｖｓが印加されるため、Ｚ電極Ｚｅ及びＸ電極Ｘ２間に電圧Ｖｓしか印加されないので、Ｚ電極Ｚｅ及びＸ電極Ｘ２間に放電が生じない。また、Ｚ電極Ｚｅ及びＹ電極Ｙ１間にも電圧Ｖｓしか印加されないので、Ｚ電極Ｚｅ及びＹ電極Ｙ１間に放電が生じない。
【００４３】
次に、時刻ｔ２では、Ｚ電極Ｚｏにグランド電位ＧＮＤが印加される。Ｙ電極Ｙ１及びＺ電極Ｚｏ間に電圧２Ｖｓが印加されるので、Ｙ電極Ｙ１及びＺ電極Ｚｏ間に放電が生じる。その放電を種火として、Ｙ電極Ｙ１及びＸ電極Ｘ１間に維持放電ＤＳが生じる。これにより、Ｘ電極Ｘ１及びＹ電極Ｙ１間の表示セルにより構成される奇数ラインが表示される。
【００４４】
これに対し、Ｚ電極Ｚｅは電圧Ｖｓを維持しているので、Ｙ電極Ｙ１及びＸ電極Ｘ２間に維持放電ＤＳが生じない。これにより、Ｙ電極Ｙ１及びＸ電極Ｘ２間の表示セルにより構成される偶数ラインは表示されない。
【００４５】
次に、時刻ｔ３では、Ｙ電極Ｙ１及びＺ電極Ｚｏに負電圧−２Ｖｓが印加され、Ｚ電極Ｚｅに負電圧−Ｖｓが印加される。Ｚ電極Ｚｏ及びＸ電極Ｘ１間に電圧２Ｖｓが印加されるので、Ｚ電極Ｚｏ及びＸ電極Ｘ１間に放電が生じる。この放電は、後の時刻ｔ４の維持放電の種火放電となる。また、Ｚ電極Ｚｏ及びＹ電極Ｙ１間の電位差は０Ｖであるので、Ｚ電極Ｚｏ及びＹ電極Ｙ１間に放電が生じない。
【００４６】
これに対し、Ｚ電極Ｚｅには負電圧−Ｖｓが印加されるため、Ｚ電極Ｚｅ及びＸ電極Ｘ２間に電圧Ｖｓしか印加されないので、Ｚ電極Ｚｅ及びＸ電極Ｘ２間に放電が生じない。また、Ｚ電極Ｚｅ及びＹ電極Ｙ１間にも電圧Ｖｓしか印加されないので、Ｚ電極Ｚｅ及びＹ電極Ｙ１間に放電が生じない。
【００４７】
次に、時刻ｔ４では、Ｚ電極Ｚｏにグランド電位ＧＮＤが印加される。Ｙ電極Ｙ１及びＺ電極Ｚｏ間に電圧２Ｖｓが印加されるので、Ｙ電極Ｙ１及びＺ電極Ｚｏ間に放電が生じる。その放電を種火として、Ｙ電極Ｙ１及びＸ電極Ｘ１間に維持放電ＤＳが生じる。これにより、Ｘ電極Ｘ１及びＹ電極Ｙ１間の表示セルにより構成される奇数ラインが表示される。
【００４８】
これに対し、Ｚ電極Ｚｅは負電圧−Ｖｓを維持しているので、Ｙ電極Ｙ１及びＸ電極Ｘ２間に維持放電ＤＳが生じない。これにより、Ｙ電極Ｙ１及びＸ電極Ｘ２間の表示セルにより構成される偶数ラインは表示されない。
以上の電圧波形を１周期として、上記の動作を繰り返す。
【００４９】
Ｙ電極Ｙｉ（例えばＹ１）には、維持放電のために電圧２Ｖｓ及び−２Ｖｓの第１の電圧パルスを印加する。Ｚ電極Ｚｏには、Ｙ電極Ｙｉ（例えばＹ１）の第１の電圧パルスと同極性の第３の電圧パルスを印加した後にＸ電極Ｘｉと同一の電圧（例えばグランド電位ＧＮＤ）を印加することによりその両側のＸ電極Ｘｉ（例えばＸ１）及びＹ電極Ｙｉ（例えばＹ１）間の放電を発生させる。これに対し、Ｚ電極Ｚｅには、Ｙ電極Ｙｉ（例えばＹ１）の第１の電圧パルスと同極性の第２の電圧パルスを印加することによりその両側のＹ電極Ｙｉ（例えばＹ１）及びＸ電極Ｘｉ＋１（例えばＸ２）間の放電を抑制する。
【００５０】
Ｚ電極Ｚｅの第２の電圧パルスは、Ｙ電極Ｙｉの第１の電圧パルスに対して、同一のパルス幅であり、電圧が半分である。また、Ｚ電極Ｚｏの第３の電圧パルスは、Ｙ電極Ｙｉの第１の電圧パルスに対してパルス幅が狭く、Ｚ電極Ｚｅの第２の電圧パルスに対して電圧が高い。
【００５１】
本実施形態は、第１の実施形態と同様に、Ｚ電極を設けることにより、Ｘ電極を一定の電位（例えばグランド電位）に固定しつつインタレース表示を行うことができる。第１の実施形態（図７）では、時刻ｔ１及びｔ２において、Ｙ電極及びＺ電極間の放電のみが行われ、それに続くＹ電極及びＸ電極間の維持放電が行われない可能性がある。本実施形態（図９）によれば、時刻ｔ１及びｔ３において、Ｚ電極Ｚｏのトリガパルスにより種火放電を行うことにより、時刻ｔ２及びｔ４において効率よく確実にＹ電極及びＸ電極間の維持放電を行うことができる。
【００５２】
（第３の実施形態）
図１０は、図７に対応し、本発明の第３の実施形態による維持放電期間Ｔｓの電圧波形の拡大図である。以下、本実施形態が第１の実施形態と異なる点を説明する。第１の実施形態（図７）と同様に、すべてのＸ電極Ｘ１，Ｘ２，・・・は、グランド電位に固定されている。
【００５３】
時刻ｔ１では、Ｙ電極Ｙ１に電圧２Ｖｓが印加され、Ｚ電極Ｚｏにグランド電位ＧＮＤが印加され、Ｚ電極Ｚｅに電圧Ｖｓが印加される。Ｙ電極Ｙ１及びＺ電極Ｚｏ間に電圧２Ｖｓが印加されるので、Ｙ電極Ｙ１及びＺ電極Ｚｏ間に放電が生じる。この放電は、後の時刻ｔ２の維持放電の種火放電となる。
【００５４】
これに対し、Ｚ電極Ｚｅには電圧Ｖｓが印加されるため、Ｙ電極Ｙ１及びＺ電極Ｚｅ間に電圧Ｖｓしか印加されないので、Ｙ電極Ｙ１及びＺ電極Ｚｅ間に放電が生じない。また、Ｚ電極Ｚｅ及びＸ電極Ｘ２間にも電圧Ｖｓしか印加されないので、Ｚ電極Ｚｅ及びＸ電極Ｘ２間に放電が生じない。
【００５５】
この際、Ｚ電極Ｚｏの電圧は、Ｙ電極Ｙ１の電圧と共にグランド電位ＧＮＤまで上昇し、Ｙ電極Ｙ１及びＺ電極Ｚｏ間の放電が生じるまでグランド電位ＧＮＤを維持し、放電が生じた後に、時刻ｔ２に移る。
【００５６】
次に、時刻ｔ２では、Ｚ電極Ｚｏに電圧２Ｖｓが印加される。Ｚ電極Ｚｏ及びＸ電極Ｘ１間に電圧２Ｖｓが印加されるので、Ｚ電極Ｚｏ及びＸ電極Ｘ１間に放電が生じる。その放電を種火として、Ｙ電極Ｙ１及びＸ電極Ｘ１間に維持放電が生じる。これにより、Ｘ電極Ｘ１及びＹ電極Ｙ１間の表示セルにより構成される奇数ラインが表示される。
【００５７】
これに対し、Ｚ電極Ｚｅは電圧Ｖｓを維持しているので、Ｙ電極Ｙ１及びＸ電極Ｘ２間に維持放電ＤＳが生じない。これにより、Ｙ電極Ｙ１及びＸ電極Ｘ２間の表示セルにより構成される偶数ラインは表示されない。
【００５８】
次に、時刻ｔ３では、Ｙ電極Ｙ１に負電圧−２Ｖｓが印加され、Ｚ電極Ｚｏにグランド電位ＧＮＤが印加され、Ｚ電極Ｚｅに負電圧−Ｖｓが印加される。Ｙ電極Ｙ１及びＺ電極Ｚｏ間に電圧２Ｖｓが印加されるので、Ｙ電極Ｙ１及びＺ電極Ｚｏ間に放電が生じる。この放電は、後の時刻ｔ４の維持放電の種火放電となる。
【００５９】
これに対し、Ｚ電極Ｚｅには負電圧−Ｖｓが印加されるため、Ｙ電極Ｙ１及びＺ電極Ｚｅ間に電圧Ｖｓしか印加されないので、Ｙ電極Ｙ１及びＺ電極Ｚｅ間に放電が生じない。また、Ｚ電極Ｚｅ及びＸ電極Ｘ２間にも電圧Ｖｓしか印加されないので、Ｚ電極Ｚｅ及びＸ電極Ｘ２間に放電が生じない。
【００６０】
この際、Ｚ電極Ｚｏの電圧は、Ｙ電極Ｙ１の電圧と共にグランド電位ＧＮＤまで下降し、Ｙ電極Ｙ１及びＺ電極Ｚｏ間の放電が生じるまでグランド電位ＧＮＤを維持し、放電が生じた後に、時刻ｔ４に移る。
【００６１】
次に、時刻ｔ４では、Ｚ電極Ｚｏに負電圧−２Ｖｓが印加される。Ｚ電極Ｚｏ及びＸ電極Ｘ１間に電圧２Ｖｓが印加されるので、Ｚ電極Ｚｏ及びＸ電極Ｘ１間に放電が生じる。その放電を種火として、Ｙ電極Ｙ１及びＸ電極Ｘ１間に維持放電が生じる。これにより、Ｘ電極Ｘ１及びＹ電極Ｙ１間の表示セルにより構成される奇数ラインが表示される。
【００６２】
これに対し、Ｚ電極Ｚｅは負電圧−Ｖｓを維持しているので、Ｙ電極Ｙ１及びＸ電極Ｘ２間に維持放電ＤＳが生じない。これにより、Ｙ電極Ｙ１及びＸ電極Ｘ２間の表示セルにより構成される偶数ラインは表示されない。
以上の電圧波形を１周期として、上記の動作を繰り返す。
【００６３】
Ｙ電極Ｙｉ（例えばＹ１）には、維持放電のために電圧２Ｖｓ及び−２Ｖｓの第１の電圧パルスを印加する。Ｚ電極Ｚｏには、Ｘ電極Ｘｉと同一の電圧（例えばグランド電位ＧＮＤ）を印加した後にＹ電極Ｙｉ（例えばＹ１）の第１の電圧パルスと同極性の電圧を印加することによりその両側のＸ電極Ｘｉ（例えばＸ１）及びＹ電極Ｙｉ（例えばＹ１）間の放電を発生させる。これに対し、Ｚ電極Ｚｅには、Ｙ電極Ｙｉ（例えばＹ１）の第１の電圧パルスと同極性の第２の電圧パルスを印加することによりその両側のＹ電極Ｙｉ（例えばＹ１）及びＸ電極Ｘｉ＋１（例えばＸ２）間の放電を抑制する。
【００６４】
Ｚ電極Ｚｅの第２の電圧パルスは、Ｙ電極Ｙｉの第１の電圧パルスに対して、同一のパルス幅であり、電圧が半分である。
【００６５】
本実施形態は、第１の実施形態と同様に、Ｚ電極を設けることにより、Ｘ電極を一定の電位（例えばグランド電位）に固定しつつインタレース表示を行うことができる。第１の実施形態（図７）では、時刻ｔ１及びｔ２において、Ｙ電極及びＺ電極間の放電のみが行われ、それに続くＹ電極及びＸ電極間の維持放電が行われない可能性がある。本実施形態（図１０）によれば、時刻ｔ１及びｔ３において、種火放電を行うことにより、時刻ｔ２及びｔ４において効率よく確実にＹ電極及びＸ電極間の維持放電を行うことができる。
【００６６】
（第４の実施形態）
図１１は、図７に対応し、本発明の第４の実施形態による維持放電期間Ｔｓの電圧波形の拡大図である。以下、本実施形態が第１の実施形態と異なる点を説明する。第１の実施形態（図７）と同様に、すべてのＸ電極Ｘ１，Ｘ２，・・・は、グランド電位に固定されている。本実施形態は、第３の実施形態（図１０）に対して、時刻ｔ１及びｔ４において、Ｚ電極Ｚｏのパルスを追加したものである。
【００６７】
時刻ｔ１では、Ｙ電極Ｙ１及びＺ電極Ｚｏに電圧２Ｖｓが印加され、Ｚ電極Ｚｅに電圧Ｖｓが印加される。Ｙ電極Ｙ１及びＺ電極Ｚｏは同電位であるので、Ｙ電極Ｙ１及びＺ電極Ｚｏ間の容量がみえない状態となる。
【００６８】
次に、時刻ｔ２では、Ｚ電極Ｚｏにグランド電位ＧＮＤが印加される。Ｙ電極Ｙ１及びＺ電極Ｚｏ間に電圧２Ｖｓが印加されるので、Ｙ電極Ｙ１及びＺ電極Ｚｏ間に放電が生じる。この放電は、後の時刻ｔ３の維持放電の種火放電となる。
【００６９】
これに対し、Ｚ電極Ｚｅには電圧Ｖｓが印加されるため、Ｙ電極Ｙ１及びＺ電極Ｚｅ間に電圧Ｖｓしか印加されないので、Ｙ電極Ｙ１及びＺ電極Ｚｅ間に放電が生じない。また、Ｚ電極Ｚｅ及びＸ電極Ｘ２間にも電圧Ｖｓしか印加されないので、Ｚ電極Ｚｅ及びＸ電極Ｘ２間に放電が生じない。
【００７０】
次に、時刻ｔ３では、Ｚ電極Ｚｏに電圧２Ｖｓが印加される。Ｚ電極Ｚｏ及びＸ電極Ｘ１間に電圧２Ｖｓが印加されるので、Ｚ電極Ｚｏ及びＸ電極Ｘ１間に放電が生じる。その放電を種火として、Ｙ電極Ｙ１及びＸ電極Ｘ１間に維持放電が生じる。これにより、Ｘ電極Ｘ１及びＹ電極Ｙ１間の表示セルにより構成される奇数ラインが表示される。
【００７１】
これに対し、Ｚ電極Ｚｅは電圧Ｖｓを維持しているので、Ｙ電極Ｙ１及びＸ電極Ｘ２間に維持放電ＤＳが生じない。これにより、Ｙ電極Ｙ１及びＸ電極Ｘ２間の表示セルにより構成される偶数ラインは表示されない。
【００７２】
次に、時刻ｔ４では、Ｙ電極Ｙ１及びＺ電極Ｚｏに負電圧−２Ｖｓが印加され、Ｚ電極Ｚｅに負電圧−Ｖｓが印加される。Ｙ電極Ｙ１及びＺ電極Ｚｏは同電位であるので、Ｙ電極Ｙ１及びＺ電極Ｚｏ間の容量がみえない状態となる。
【００７３】
次に、時刻ｔ５では、Ｚ電極Ｚｏにグランド電位ＧＮＤが印加される。Ｙ電極Ｙ１及びＺ電極Ｚｏ間に電圧２Ｖｓが印加されるので、Ｙ電極Ｙ１及びＺ電極Ｚｏ間に放電が生じる。この放電は、後の時刻ｔ６の維持放電の種火放電となる。
【００７４】
これに対し、Ｚ電極Ｚｅには負電圧−Ｖｓが印加されるため、Ｙ電極Ｙ１及びＺ電極Ｚｅ間に電圧Ｖｓしか印加されないので、Ｙ電極Ｙ１及びＺ電極Ｚｅ間に放電が生じない。また、Ｚ電極Ｚｅ及びＸ電極Ｘ２間にも電圧Ｖｓしか印加されないので、Ｚ電極Ｚｅ及びＸ電極Ｘ２間に放電が生じない。
【００７５】
次に、時刻ｔ６では、Ｚ電極Ｚｏに負電圧−２Ｖｓが印加される。Ｚ電極Ｚｏ及びＸ電極Ｘ１間に電圧２Ｖｓが印加されるので、Ｚ電極Ｚｏ及びＸ電極Ｘ１間の放電が生じる。その放電を種火として、Ｙ電極Ｙ１及びＸ電極Ｘ１間に維持放電が生じる。これにより、Ｘ電極Ｘ１及びＹ電極Ｙ１間の表示セルにより構成される奇数ラインが表示される。
【００７６】
これに対し、Ｚ電極Ｚｅは負電圧−Ｖｓを維持しているので、Ｙ電極Ｙ１及びＸ電極Ｘ２間に維持放電ＤＳが生じない。これにより、Ｙ電極Ｙ１及びＸ電極Ｘ２間の表示セルにより構成される偶数ラインは表示されない。
以上の電圧波形を１周期として、上記の動作を繰り返す。
【００７７】
上記のように、本実施形態は、第３の実施形態（図１０）に対して、時刻ｔ１及びｔ４におけるＺ電極Ｚｏのパルスを追加したものである。すなわち、本実施形態は、第３の実施形態に対して、Ｚ電極Ｚｏに、時刻ｔ２及びｔ５においてＸ電極Ｘｉと同一の電圧（例えばグランド電位）を印加する前に、時刻ｔ１及びｔ４においてＹ電極Ｙｉの第１の電圧パルスと同極性の電圧パルスを印加することによりその両側のＸ電極Ｘｉ（例えばＸ１）及びＹ電極（例えばＹ１）間の放電を発生させる点が異なる。その他の点は、本実施形態は第３の実施形態と同じである。
【００７８】
第３の実施形態（図１０）では、時刻ｔ１及びｔ３においてＺ電極Ｚｏの電圧を電力回収回路であるＬＣ共振回路によりグランド電位ＧＮＤに印加することができる。Ｙ電極Ｙ１及びＺ電極Ｚｏ間は電位差があるためにハイインピーダンスとなり、放電が不安定になりやすい。
【００７９】
これに対し、本実施形態（図１１）では、時刻ｔ１及びｔ４においてＺ電極Ｚｏの電圧をクランプ回路により電圧２Ｖｓ及び−２Ｖｓに印加することができる。Ｙ電極Ｙ１及びＺ電極Ｚｏ間は電位差がないためにローインピーダンスとなり、時刻ｔ２及びｔ５における放電を安定させることができる。
【００８０】
本実施形態は、第１の実施形態と同様に、Ｚ電極を設けることにより、Ｘ電極を一定の電位（例えばグランド電位）に固定しつつインタレース表示を行うことができる。第１の実施形態（図７）では、時刻ｔ１及びｔ２において、Ｙ電極及びＺ電極間の放電のみが行われ、それに続くＹ電極及びＸ電極間の維持放電が行われない可能性がある。本実施形態は、第３の実施形態と同様に、種火放電を行うことにより、効率よく確実にＹ電極及びＸ電極間の維持放電を行うことができる。
【００８１】
以上のように、第１〜第４の実施形態のプラズマディスプレイ装置は、Ｘ電極、Ｙ電極、Ｚ電極及びアドレス電極の４電極を有する。Ｘ電極は、一定の電位に固定されている。Ｚ電極は、Ｘ電極及びＹ電極間に設けられ、Ｘ電極及びＹ電極間の放電を制御するための電極である。Ｚ電極駆動回路４は、奇数番目のＺ電極Ｚｏ及び偶数番目のＺ電極Ｚｅに異なる電圧を印加することにより奇数番目のラインＬ１，Ｌ３，・・・及び偶数番目のラインＬ２，Ｌ４，・・・を交互に表示してインタレース表示を行う。
【００８２】
例えば、維持放電期間Ｔｓにおいて、Ｚ電極Ｚｏ側の表示セルを放電させる場合は、Ｚ電極Ｚｏをグランド電位ＧＮＤに固定し、Ｚ電極ＺｅはＹ電極と同極性の電圧を印加し、Ｚ電極Ｚｅ側の表示セルを放電させる場合は、Ｚ電極ＺｏはＹ電極と同極性の電圧を印加し、Ｚ電極Ｚｅをグランド電位ＧＮＤに固定することで、奇数ライン及び偶数ラインの放電を分離することができるため、インタレース表示を行うことができる。
【００８３】
Ｚ電極を設けることにより、Ｘ電極を一定の電位（例えばグランド電位）に固定しつつインタレース表示を行うことができる。Ｘ電極を一定の電位に固定することにより、Ｘ電極を駆動するためのＸ電極駆動回路を除去することができ、コストを低減することができる。また、インタレース表示を行うことにより、Ｙ電極数及びそれを駆動するためのスキャンＩＣを増やすことなく高精細な画像を表示することができる。
【００８４】
なお、上記実施形態は、何れも本発明を実施するにあたっての具体化の例を示したものに過ぎず、これらによって本発明の技術的範囲が限定的に解釈されてはならないものである。すなわち、本発明はその技術思想、またはその主要な特徴から逸脱することなく、様々な形で実施することができる。
【図面の簡単な説明】
【００８５】
【図１】本発明の第１の実施形態によるプラズマディスプレイ装置の構成例を示す図である。
【図２】プラズマディスプレイパネルの構造例を示す分解斜視図である。
【図３】Ｘ電極、Ｙ電極及びＺ電極の平面図である。
【図４】本実施形態のプラズマディスプレイパネルの構成例を示す平面図である。
【図５】本実施形態のプラズマディスプレイパネルの構成例を示す断面図である。
【図６】本実施形態のプラズマディスプレイ装置のリセット期間、アドレス期間及び維持放電期間の動作例を説明するためのタイミングチャートである。
【図７】維持放電期間の電圧波形の拡大図である。
【図８】プラズマディスプレイパネルの放電を示す断面図である。
【図９】本発明の第２の実施形態による維持放電期間の電圧波形の拡大図である。
【図１０】本発明の第３の実施形態による維持放電期間の電圧波形の拡大図である。
【図１１】本発明の第４の実施形態による維持放電期間の電圧波形の拡大図である。
【図１２】ＡＬＩＳ（Alternate Lighting of Surfaces）方式のプラズマディスプレイパネルの構成例を示す平面図である。
【図１３】ＡＬＩＳ方式のプラズマディスプレイパネルの構成例を示す断面図である。
【図１４】プラズマディスプレイパネルのインタレース表示を示す図である。
【図１５】奇数フィールドのＸ電極及びＹ電極の電圧波形例を示す図である。
【図１６】Ｘ電極をグランド電位に固定したプラズマディスプレイ装置の構成例を示す図である。
【図１７】図１６のプラズマディスプレイ装置のリセット期間、アドレス期間及び維持放電期間の動作例を説明するためのタイミングチャートである。
【符号の説明】
【００８６】
１  前面ガラス基板
２  背面ガラス基板
３  プラズマディスプレイパネル
４  Ｚ電極駆動回路
５  Ｙ電極駆動回路
６  アドレス電極駆動回路
７  制御回路
１３、１６  誘電体層
１４  保護層
１７  隔壁
１８〜２０  蛍光体
【図１】
2008107457.tif 000003
【図２】
2008107457.tif 000004
【図３】
2008107457.tif 000005
【図４】
2008107457.tif 000006
【図５】
2008107457.tif 000007
【図６】
2008107457.tif 000008
【図７】
2008107457.tif 000009
【図８】
2008107457.tif 000010
【図９】
2008107457.tif 000011
【図１０】
2008107457.tif 000012
【図１１】
2008107457.tif 000013
【図１２】
2008107457.tif 000014
【図１３】
2008107457.tif 000015
【図１４】
2008107457.tif 000016
【図１５】
2008107457.tif 000017
【図１６】
2008107457.tif 000018
【図１７】
2008107457.tif 000019